(57)【要約】【課題】  ユーザが、排紙トレイから一旦取り除いたファクシミリ受信用紙等の印刷済みの用紙を排紙トレイに戻したときに、印刷済みの用紙があることの表示が再び出されるようにする画像形成装置を提供する。【解決手段】  ファクシミリメッセージを受信し、用紙検知センサ２２を介して用紙の排出を検知すると、インフォメーションランプ２３を点灯させて、ユーザに知らせる。ユーザが、ファクシミリ受信用紙の束を排紙トレイ２から取り除くと、インフォメーションランプ２３は消灯する。その後、ユーザが、ファクシミリ受信用紙の束の中から一部のファクシミリ受信用紙を抜き取り、残りのファクシミリ受信用紙を排紙トレイ２に戻し、インフォメーションランプ点灯スイッチ２４を押すと、インフォメーションランプ２３が再び点灯し、残りのファクシミリ受信用紙が存在することを知らせる。【選択図】  図２
2006180397.tif 000002
【特許請求の範囲】
【請求項１】
画像データに基づきその画像データの内容を用紙に印刷し、印刷済みの用紙を排紙トレイに排紙する画像形成装置において、
上記印刷済みの用紙を排紙トレイに排紙したときに、その用紙が排紙トレイに有ることを示す排紙表示を行う排紙表示手段と、
排紙トレイに排紙された印刷済みの用紙がその排紙トレイから抜き取られたときに、排紙表示を排紙表示手段から消去する表示消去手段と、
操作者の入力操作によって上記排紙表示を排紙表示手段に行わせるための表示入力手段と、
前記排紙表示手段の排紙表示が消去された状態で、前記表示入力手段への入力操作があった場合に、その排紙表示手段に再び排紙表示を行う再表示制御手段とを備えていることを特徴とする画像形成装置。
【請求項２】
さらに、印刷済みの用紙が排紙トレイに有るか否かを検出する用紙有無検出手段を設けており、
再表示制御手段は、前記排紙表示手段の排紙表示が消去された状態で、用紙有無検出手段によって印刷済みの用紙が排紙トレイに有るとの検出結果を得ていて、かつ、前記表示入力手段への入力操作があった場合に、その排紙表示手段に再び排紙表示を行うことを特徴とする請求項１に記載の画像形成装置。
【請求項３】
さらに、前記排紙表示手段の排紙表示が消去された状態で用紙有無検出手段によって印刷済みの用紙が排紙トレイに有るとの検出結果を得ると、その検出結果を得てから以降の時間である経過時間を計測する時間計測手段を設けており、
再表示制御手段は、前記経過時間が所定時間になる以前に前記表示入力手段への入力操作があった場合に、その排紙表示手段に再び排紙表示を行うことを特徴とする請求項２に記載の画像形成装置。
【請求項４】
画像データに基づきその画像データの内容を用紙に印刷し、印刷済みの用紙を排紙トレイに排紙する画像形成装置において、
上記印刷済みの用紙を排紙トレイに排紙したときに、その用紙が排紙トレイに有ることを示す排紙表示を行う排紙表示手段と、
排紙トレイに排紙された印刷済みの用紙がその排紙トレイから抜き取られたときに、排紙表示を排紙表示手段から消去する表示消去手段と、
操作者の入力操作によって上記排紙表示を排紙表示手段に行わせるか否かを選択するための表示選択入力手段と、
印刷済みの用紙が排紙トレイに有るか否かを検出する用紙有無検出手段と、
前記排紙表示手段の排紙表示が消去された状態で、用紙有無検出手段によって印刷済みの用紙が排紙トレイに有るとの検出結果を得ていて、かつ、前記表示選択入力手段への入力操作によって排紙表示を排紙表示手段に行うことが選択された場合に、その排紙表示手段に再び排紙表示を行う再表示制御手段とを備えていることを特徴とする画像形成装置。
【請求項５】
さらに、前記排紙表示手段の排紙表示が消去された状態で、操作者の入力操作によって上記排紙表示を排紙表示手段に行わせるか否かに係る操作者に対する質問内容を表示する質問表示手段を設けていることを特徴とする請求項４に記載の画像形成装置。
【請求項６】
画像データに基づきその画像データの内容を用紙に印刷し、印刷済みの用紙を排紙トレイに排紙する画像形成装置において、
上記印刷済みの用紙を排紙トレイに排紙したときに、その用紙が排紙トレイに有ることを示す排紙表示を行う排紙表示手段と、
排紙トレイに排紙された印刷済みの用紙がその排紙トレイから抜き取られたときに、排紙表示を排紙表示手段から消去する表示消去手段と、
排紙トレイとは別に設けられた、その排紙トレイから抜き取った印刷済みの用紙を保管するための専用保管トレイと、
専用保管トレイに印刷済みの用紙が有るか否かを検出する用紙有無検出手段と、
前記排紙表示手段の排紙表示が消去された状態で、用紙有無検出手段によってその印刷済みの用紙が専用保管トレイに有るとの検出結果を得た場合に、その排紙表示手段に再び排紙表示を行う再表示制御手段とを備えていることを特徴とする画像形成装置。
【請求項７】
画像データがファクシミリ受信部の出力するファクシミリデータであり、
排紙トレイに排紙される印刷済みの用紙がファクシミリ受信用紙であり、
排紙表示手段の行う排紙表示がファクシミリ受信用紙が排紙トレイに有る状態を示すファクシミリ受信表示であることを特徴とする請求項１から６のうちの１項に記載の画像形成装置。
【請求項８】
ファクシミリ受信部の出力したファクシミリデータに基づきそのファクシミリデータの内容をファクシミリ受信用紙に印刷すると共に、プリンタ部の出力したプリント画像データに基づきその内容をプリンタ出力用紙に印刷し、それらの印刷したファクシミリ受信用紙およびプリンタ出力用紙を排紙トレイに排紙する画像形成装置において、
上記ファクシミリ受信用紙を排紙トレイに排紙したときに、そのファクシミリ受信用紙が排紙トレイに有ることを示すファクシミリ受信表示を行う排紙表示手段と、
排紙トレイに排紙されたファクシミリ受信用紙がその排紙トレイから抜き取られたときに、ファクシミリ受信表示を排紙表示手段から消去する表示消去手段と、
操作者の入力操作によって排紙トレイに有る用紙がファクシミリ受信用紙かプリンタ出力用紙かの区別を選択するための表示用紙選択入力手段と、
印刷済みの用紙が排紙トレイに有るか否かを検出する用紙有無検出手段と、
前記排紙表示手段のファクシミリ受信表示が消去された状態で、用紙有無検出手段によって印刷済みの用紙が排紙トレイに有るとの検出結果を得ていて、かつ、表示用紙選択入力手段によってファクシミリ受信用紙が選択された場合に、排紙表示手段に再びファクシミリ受信表示を行う再表示制御手段とを備えていることを特徴とする画像形成装置。
【請求項９】
さらに、前記排紙表示手段のファクシミリ受信表示が消去された状態で、用紙有無検出手段によって印刷済みの用紙が排紙トレイに有るとの検出結果を得ていて、かつ、表示用紙選択入力手段によってプリンタ出力用紙が選択された場合に、プリンタ出力用紙が排紙トレイに有る状態を示すプリンタ出力表示を行うプリンタ出力表示手段を有することを特徴とする請求項８に記載の画像形成装置。
【請求項１０】
表示手段と入力手段は、一体の制御パネルに構成されて画像形成装置本体外面の操作者側に向く箇所に設けられていることを特徴とする請求項１から９のうちの１項に記載の画像形成装置。
【発明の詳細な説明】
【技術分野】
【０００１】
本発明は、画像読取部（スキャナ部）、プリンタ部（プリンタ装置）またはファクシミリ受信部（ファクシミリ装置）から出力される画像データを印刷する機能を備えた画像形成装置に関する。
【背景技術】
【０００２】
近年、画像形成装置は、複写装置、プリンタ装置、及びファクシミリ装置のための各印刷手段を兼用するタイプのものが開発されている。
【０００３】
このタイプの画像形成装置は、通常、印刷済の用紙を収納する排紙トレイ（排紙トレイ）が、これらの各装置間で共通に使用されている。
【０００４】
また、近年は、このような兼用の印刷手段を使用することにより、前記の各装置を１つの装置に纏めた複合機種が開発され、企業のオフィス内等で使用されている。
【０００５】
このような複合機種は、多機能であり、かつ殆どのケースで、オフィス内等の複数のユーザによって共通に使用されているという特徴を有する。
【０００６】
ファクシミリ装置からデータが出力され、かつ前記タイプの画像形成装置によって用紙に印刷されるファクシミリ出力データ（印刷済用紙）は、該当する受信者に至急に配信すべき性質のものも含まれている可能性がある。
【０００７】
このことが考慮されずに、他の出力データ（プリンタ出力データや複写機出力データの印刷済用紙）と一緒にされて扱われることは、場合によっては配信の遅延を招くことがあり、通信業務の信頼性と能率の面から、許容し難いことと考えられる。
【０００８】
このため、先行技術としては、ファクシミリメッセージ（ファクシミリデータ）を受信すると、そのデータ受信が完了した時点で受信完了を報知するためのアラーム音を鳴らし、受信したメッセージを用紙に記録（ファクシミリデータが印刷等で記録済の用紙を「ファクシミリ受信用紙」という）するファクシミリ装置が知られている。
【０００９】
また、例えば、ファクシミリメッセージの受信完了が検出されると、排紙トレイの用紙検出センサによってこの排紙トレイ上に出力されるファクシミリ受信用紙の有無を検出し、その出力用紙が取り除かれるまでの間、ファクシミリの受信を知らせる表示手段（ランプ）を点滅させ、用紙の取り忘れを防止する技術が提案されている（例えば、特許文献１参照。）。
【特許文献１】特開平６−１６４８０５号公報
【発明の開示】
【発明が解決しようとする課題】
【００１０】
しかしながら、上記背景技術で述べた従来の画像形成装置にあっては、オフィス内等のユーザが複数であるという事情までは考慮されておらず、例えば、前述の特許文献１に開示された技術の場合、複数のユーザの各々に宛てて届いたファクシミリメッセージの印刷用紙（ファクシミリ受信用紙）の束が、ある一人のユーザの操作によって、排紙トレイ（排紙トレイ）から取り除かれた時点でもってファクシミリメッセージの受信（以下、「ファクシミリの受信」と略称する）を知らせるための前述の表示手段（ランプ）は消灯する。
【００１１】
このため、自分宛のファクシミリ受信用紙を確認したユーザが、この自分宛のファクシミリ受信用紙のみを抜き取り、残りのファクシミリ受信用紙を排紙トレイに戻したとしても、ファクシミリの受信をユーザに知らせるための前記表示手段（ランプ）を再度点滅させることができないため、排紙トレイに戻された残りのファクシミリ受信用紙は、あたかもファクシミリを受信していなかったかのようにして放置される虞があり、通信業務の信頼性と能率が確立されないという問題点があった。
【００１２】
本発明は、上記従来の問題点に鑑みてなされたものであって、ユーザが、排紙トレイから一旦取り除いたファクシミリ受信用紙などの印刷済の用紙を排紙トレイに戻した時に、印刷済みの用紙が有ることの表示が再び出されるようにすることにより、印刷済みの用紙の取り忘れを防止することができる画像形成装置を提供することを目的としている。
【課題を解決するための手段】
【００１３】
本発明は、上記した従来の画像形成装置の課題を解決するため、以下の構成を有する。
【００１４】
請求項１に記載の画像形成装置の発明は、画像データに基づきその画像データの内容を用紙に印刷し、印刷済みの用紙を排紙トレイに排紙する画像形成装置において、上記印刷済みの用紙を排紙トレイに排紙したときに、その用紙が排紙トレイに有ることを示す排紙表示を行う排紙表示手段と、排紙トレイに排紙された印刷済みの用紙がその排紙トレイから抜き取られたときに、排紙表示を排紙表示手段から消去する表示消去手段と、操作者の入力操作によって上記排紙表示を排紙表示手段に行わせるための表示入力手段と、前記排紙表示手段の排紙表示が消去された状態で、前記表示入力手段への入力操作があった場合に、その排紙表示手段に再び排紙表示を行う再表示制御手段とを備えていることを特徴とする。
【００１５】
請求項２に記載の画像形成装置の発明は、請求項１に記載の画像形成装置において、さらに、印刷済みの用紙が排紙トレイに有るか否かを検出する用紙有無検出手段を設けており、再表示制御手段は、前記排紙表示手段の排紙表示が消去された状態で、用紙有無検出手段によって印刷済みの用紙が排紙トレイに有るとの検出結果を得ていて、かつ、前記表示入力手段への入力操作があった場合に、その排紙表示手段に再び排紙表示を行うことを特徴とする。
【００１６】
請求項３に記載の画像形成装置の発明は、請求項２に記載の画像形成装置において、さらに、前記排紙表示手段の排紙表示が消去された状態で用紙有無検出手段によって印刷済みの用紙が排紙トレイに有るとの検出結果を得ると、その検出結果を得てから以降の時間である経過時間を計測する時間計測手段を設けており、再表示制御手段は、前記経過時間が所定時間になる以前に前記表示入力手段への入力操作があった場合に、その排紙表示手段に再び排紙表示を行うことを特徴とする。
【００１７】
請求項４に記載の画像形成装置の発明は、画像データに基づきその画像データの内容を用紙に印刷し、印刷済みの用紙を排紙トレイに排紙する画像形成装置において、上記印刷済みの用紙を排紙トレイに排紙したときに、その用紙が排紙トレイに有ることを示す排紙表示を行う排紙表示手段と、排紙トレイに排紙された印刷済みの用紙がその排紙トレイから抜き取られたときに、排紙表示を排紙表示手段から消去する表示消去手段と、操作者の入力操作によって上記排紙表示を排紙表示手段に行わせるか否かを選択するための表示選択入力手段と、印刷済みの用紙が排紙トレイに有るか否かを検出する用紙有無検出手段と、前記排紙表示手段の排紙表示が消去された状態で、用紙有無検出手段によって印刷済みの用紙が排紙トレイに有るとの検出結果を得ていて、かつ、前記表示選択入力手段への入力操作によって排紙表示を排紙表示手段に行うことが選択された場合に、その排紙表示手段に再び排紙表示を行う再表示制御手段とを備えていることを特徴とする。
【００１８】
請求項５に記載の画像形成装置の発明は、請求項４に記載の画像形成装置において、さらに、前記排紙表示手段の排紙表示が消去された状態で、操作者の入力操作によって上記排紙表示を排紙表示手段に行わせるか否かに係る操作者に対する質問内容を表示する質問表示手段を設けていることを特徴とする。
【００１９】
請求項６に記載の画像形成装置の発明は、画像データに基づきその画像データの内容を用紙に印刷し、印刷済みの用紙を排紙トレイに排紙する画像形成装置において、上記印刷済みの用紙を排紙トレイに排紙したときに、その用紙が排紙トレイに有ることを示す排紙表示を行う排紙表示手段と、排紙トレイに排紙された印刷済みの用紙がその排紙トレイから抜き取られたときに、排紙表示を排紙表示手段から消去する表示消去手段と、排紙トレイとは別に設けられた、その排紙トレイから抜き取った印刷済みの用紙を保管するための専用保管トレイと、専用保管トレイに印刷済みの用紙が有るか否かを検出する用紙有無検出手段と、前記排紙表示手段の排紙表示が消去された状態で、用紙有無検出手段によってその印刷済みの用紙が専用保管トレイに有るとの検出結果を得た場合に、排紙表示手段に再び排紙表示を行う再表示制御手段とを備えていることを特徴とする。
【００２０】
請求項７に記載の画像形成装置の発明は、請求項１から６のうちの１項に記載の画像形成装置において、画像データがファクシミリ受信部の出力するファクシミリデータであり、排紙トレイに排紙される印刷済みの用紙がファクシミリ受信用紙であり、排紙表示手段の行う排紙表示がファクシミリ受信用紙が排紙トレイに有る状態を示すファクシミリ受信表示であることを特徴とする。
【００２１】
請求項８に記載の画像形成装置の発明は、ファクシミリ受信部の出力したファクシミリデータに基づきそのファクシミリデータの内容をファクシミリ受信用紙に印刷すると共に、プリンタ部の出力したプリント画像データに基づきその内容をプリンタ出力用紙に印刷し、それらの印刷したファクシミリ受信用紙およびプリンタ出力用紙を排紙トレイに排紙する画像形成装置において、ファクシミリ受信用紙を排紙トレイに排紙したときに、そのファクシミリ受信用紙が排紙トレイに有ることを示すファクシミリ受信表示を行う排紙表示手段と、排紙トレイに排紙されたファクシミリ受信用紙がその排紙トレイから抜き取られたときに、ファクシミリ受信表示を排紙表示手段から消去する表示消去手段と、操作者の入力操作によって排紙トレイに有る用紙がファクシミリ受信用紙かプリンタ出力用紙かの区別を選択するための表示用紙選択入力手段と、印刷済みの用紙が排紙トレイに有るか否かを検出する用紙有無検出手段と、前記排紙表示手段のファクシミリ受信表示が消去された状態で、用紙有無検出手段によって印刷済みの用紙が排紙トレイに有るとの検出結果を得ていて、かつ、表示用紙選択入力手段によってファクシミリ受信用紙が選択された場合に、排紙表示手段に再びファクシミリ受信表示を行う再表示制御手段とを備えていることを特徴とする。
【００２２】
請求項９に記載の画像形成装置の発明は、請求項８に記載の画像形成装置において、さらに、前記排紙表示手段のファクシミリ受信表示が消去された状態で、用紙有無検出手段によって印刷済みの用紙が排紙トレイに有るとの検出結果を得ていて、かつ、表示用紙選択入力手段によってプリンタ出力用紙が選択された場合に、プリンタ出力用紙が排紙トレイに有る状態を示すプリンタ出力表示を行うプリンタ出力表示手段を有することを特徴とする。
【００２３】
請求項１０に記載の画像形成装置の発明は、請求項１から９のうちの１項に記載の画像形成装置において、表示手段と入力手段は、一体の制御パネルに構成されて画像形成装置本体外面の操作者側に向く箇所に設けられていることを特徴とする。
【発明の効果】
【００２４】
上記の構成を有していることから、請求項１〜１０に記載の画像形成装置の発明によれば、受信したファクシミリデータ等の画像データに基づきその画像データの内容をファクシミリ受信用紙等の用紙に印刷し、印刷済みの用紙を排紙トレイに排紙するものであり、印刷用紙が排紙トレイに排紙されたときにその用紙が排紙トレイに有ることを示す排紙表示を排紙表示手段によって行い、排紙トレイに排紙された印刷済みの用紙がその排紙トレイから抜き取られたときに、排紙表示を排紙表示手段から消去し、前記排紙表示手段の排紙表示が消去された状態で、前記表示入力手段への入力操作があった場合に、その排紙表示手段に再び排紙表示を行うので、印刷済みの用紙が気付かれずに排紙トレイに放置されてしまう虞を無くすことができるという効果を奏する。
例えば、ファクシミリ受信において、或るユーザＡ宛と、他のユーザＢ宛に、それぞれ届いたファクシミリ受信用紙を、ユーザＡが全て先に抜き取ったときには、ファクシミリ受信表示を消去する。さらに、ユーザＡ宛のファクシミリ受信用紙のみを抜き取ってユーザＢ宛のファクシミリ受信用紙を排紙トレイに戻した場合、その後、ユーザＡが、ファクシミリ受信表示を出現させるためのスイッチ等の表示入力手段を手動で押す等の入力操作をすることによって、再びファクシミリ受信表示がなされるので、ユーザＢ宛のファクシミリ受信用紙が気付かれずに排紙トレイに放置されてしまう虞を無くすことができるという効果を奏する。
【００２５】
その他各請求項に記載の発明においては、次の効果をも奏する。
請求項２に記載の画像形成装置の発明によれば、用紙有無検出手段によって印刷済みの用紙を検出しなければ、例え誤って表示入力手段を入力操作したとしても排紙表示手段によって前記排紙トレイに有る状態の排紙表示を消去したままとなる。
よって、印刷済みの用紙が実際に排紙トレイに存在するのに気付かれずに放置されてしまう虞を解消することができると共に、印刷済みの用紙が排紙トレイに存在しないのにその用紙が有る状態の表示がなされる誤りを無くすことができるという効果を奏する。
【００２６】
例えばファクシミリ受信表示においては、ユーザＡ宛のファクシミリ受信用紙のみを抜き取ってユーザＢ宛のファクシミリ受信用紙を排紙トレイに戻した場合、その後、ユーザＡが、ファクシミリの受信表示を行うためのスイッチ等の表示入力手段を操作すれば、再び前記ファクシミリ受信表示がなされる。
しかし、ユーザＡが、ユーザＢ宛の宛のファクシミリ受信用紙を排紙トレイに戻さずにファクシミリ受信表示を行うためのスイッチ等の表示入力手段を手動で押す等の操作をしても、用紙有無検出手段によってファクシミリ受信用紙を検出しなければ、前記ファクシミリ受信表示は消去されたままとなる。
【００２７】
よって、ユーザＢ宛のファクシミリ受信用紙が実際に排紙トレイに存在するのに気付かれずに放置されてしまう虞を解消することができると共に、ユーザＢ宛のファクシミリ受信用紙が排紙トレイに存在しないのにファクシミリの受信表示がなされる誤りを無くすことができるという効果を奏する。
【００２８】
請求項３に記載の画像形成装置の発明によれば、前記排紙表示手段の排紙表示が消去された状態で用紙有無検出手段によって印刷済みの用紙が排紙トレイに有るとの検出結果を得ると、その検出結果を得てから以降の時間である経過時間が所定時間になる以前に前記表示入力手段への入力操作があった場合に、その排紙表示手段に再び排紙表示を行うので、所定時間を経過した後は、表示入力手段への入力操作があっても排紙表示手段で排紙を行わないようにしている。したがって、排紙トレイに残された残りの用紙に対して第三者によって排紙表示に切り替えるための誤操作および表示の誤動作を防止することができる。
例えばファクシミリ受信において、ファクシミリを受信すると、排紙表示手段にファクシミリ受信表示を行い、これにより、例えば、ユーザＡが、排紙トレイに排紙された用紙（ファクシミリ受信用紙が含まれているが、他に、プリンタ出力用紙や複写機出力用紙が混在していることがある）を抜き取ると、ファクシミリ受信表示を消去することによってファクシミリ受信用紙が無いことをユーザＡに表示する。
そして、所定時間内に、ファクシミリ表示入力手段への入力があったときにファクシミリ受信表示を排紙表示手段に行う（現す）ようにし、一方、所定時間を経過した後は、ファクシミリ表示入力手段への入力があっても排紙表示手段へはファクシミリ受信表示を行わないようにしている。したがって、排紙トレイに残された残りの用紙に対して第三者によってファクシミリ受信表示に切り替えるための誤操作および表示の誤動作を防止することができる。なお、ユーザＡが立ち去ったとしても、所定時間経過後は、ファクシミリ受信用紙が無いことが表示されることからも、ユーザＡが、ファクシミリ受信用紙だけを全て抜き取っていた時に、排紙トレイに戻された残りの用紙に対して、他者によってファクシミリ受信表示に切り替えるための操作がなされる虞を防止することができるという効果を奏する。
【００２９】
なお、ユーザＡによって、排紙トレイに用紙が戻されると、任意に設定可能な所定時間内のみ、ファクシミリ受信表示に切り替えるための入力操作を促す表示をし、前記所定時間の経過後は、再びファクシミリ受信用紙が無いことを意味する表示をなすことができる。所定時間経過後は、ファクシミリ受信表示に切り替えるための操作を促す表示に代えて、ファクシミリ受信用紙が無いことを意味する表示がなされるので、排紙トレイに戻された残りの用紙に対して、他者によってファクシミリ受信表示に切り替えるための操作がなされる虞をさらに確実に防止することができる。
【００３０】
請求項４、５に記載の画像形成装置の発明によれば、排紙表示手段の排紙表示が消去された状態で、用紙有無検出手段によって印刷済みの用紙が排紙トレイに有るとの検出結果を得ていて、かつ、前記表示選択入力手段への入力操作によって排紙表示を排紙表示手段に行うことが選択された場合に、その排紙表示手段に再び排紙表示を行うので、操作者は、排紙トレイとから印刷済みの用紙を抜き取って排紙表示が消去された後に排紙トレイに戻した用紙が他の人に知らせる必要のない用紙である場合に、排紙表示を消去したままにできる。
例えばファクシミリ受信と共にプリンタ部と複写機の各画像データを印刷して排紙トレイに排紙する画像形成装置において、ファクシミリの画像データを印刷したときにそれを示すファクシミリ受信表示を行う場合に、ファクシミリを受信すると、ファクシミリ受信表示を行い、例えば、ユーザＡが、排紙トレイから排紙された用紙（ファクシミリ受信用紙が含まれているが、他に、プリンタ出力用紙や複写機出力用紙が混在していることがある）を抜き取ると、ファクシミリ受信表示を消去するので排紙トレイにファクシミリ受信用紙が無いことが分かる。その後、ユーザＡが排紙トレイに用紙を戻した時に、ユーザＡは、再びファクシミリ受信表示を行うか、それともファクシミリ受信表示を行わないようにするかの選択ができる。この場合にファクシミリ受信表示を行わないと選択したときを排紙トレイに用紙が無いことを示す表示を行うことができる。これにより、排紙トレイにファクシミリ受信用紙、プリンタ出力用紙、及び複写機出力用紙が混在している場合、前記表示選択入力手段のファクシミリ受信表示を行うか否かの選択をユーザＡが適確に実行することにより、ユーザＡが立ち去った後に立ち寄った他のユーザは、ファクシミリ受信用紙の有無を確実に知ることができるという効果を奏する。
請求項５に記載の画像形成装置の発明によれば、上記効果に加えて、質問表示手段によって排紙表示手段の排紙表示が消去された状態で、操作者の入力操作によって上記排紙表示を排紙表示手段に行わせるか否かに係る操作者に対する質問内容を表示することにより、操作者は排紙表示を行うか否かを選択すべきことを誤り無く認識することができ、誤操作を未然に防ぐことができる。
【００３１】
請求項６に記載の画像形成装置の発明によれば、前記排紙表示手段の排紙表示が消去された状態で、用紙有無検出手段によってその印刷済みの用紙が専用保管トレイに有るとの検出結果を得た場合に、その排紙表示手段に再び排紙表示を行い、つまり、専用保管トレイに入れるだけで自動的に排紙表示を行い得ることから、入力操作の手間を省き、また、入力操作を忘れることによって排紙表示が出ないことを未然に防止できる。
例えばファクシミリ受信において、ファクシミリ受信表示を排紙表示手段に行い、例えば、あるユーザＡ宛と、他のユーザＢ宛に、それぞれ届いたファクシミリ受信用紙を、ユーザＡが全て先に抜き取り（この時、ファクシミリ受信表示は消去される）、さらに、ユーザＡ宛のファクシミリ受信用紙のみを抜き取ってユーザＢ宛のファクシミリ受信用紙はファクシミリ受信用紙を専用に保管する専用保管トレイに入れ、この専用保管トレイ内のファクシミ受信用紙を用紙有無検出手段によって検出した場合、自動的に、ファクシミリ受信表示を排紙表示手段に再び行うので、ユーザＢ宛のファクシミリ受信用紙が気付かれずに受信トレイに放置されてしまう虞を確実に無くすことが可能となる。
したがって、ファクシミリ受信表示を出現させるためのスイッチと、ユーザＡによるその操作とを不要にすることができるという効果を奏する。
【００３２】
請求項７に記載の画像形成装置の発明によれば、画像データがファクシミリ受信部の出力ファクシミリデータとし、印刷済みの用紙がファクシミリ受信用紙とすることができることによって、用紙が取り忘れによって、配信の遅延の虞があるファクシミリ受信用紙が、排紙トレイに放置されるを無くしして、通信業務の信頼性と能率を確立することができる。
【００３３】
請求項８に記載の画像形成装置の発明によれば、例えば、ユーザＡ宛にファクシミリが着信し、かつユーザＢがプリンタ出力をさせた場合に、ユーザＢが先に排紙トレイの用紙を抜き取ると、その時点でファクシミリ受信表示が消去される。次いで、ユーザＢ（操作者）が、ユーザＡ宛のファクシミリ受信用紙を排紙トレイに戻し、かつ自分が戻した用紙がファクシミリ受信用紙であることを表示用紙選択入力手段によって指示入力（請求項９の制御パネルの一つのタッチパネルのスイッチ等で入力可能）することで、ファクシミリ受信表示を排紙表示手段に行うことができる。
一方、ユーザＡが先にファクシミリ受信用紙を抜き取り、かつ、ユーザＡが、ユーザＢが出力させたプリンタ出力用紙を排紙トレイに戻した時に、ユーザＡが、自分が戻した用紙がプリンタ出力用紙であることを前記表示用紙選択入力手段への選択指示入力（タッチパネル等で入力可能）することで、ファクシミリ受信表示は消去したままで維持することができる。
【００３４】
よって、排紙トレイに用紙が有り、かつ、それがファクシミリ受信用紙である時にのみ、ファクシミリ受信表示を出現させて、ユーザにファクシミリ受信用紙が有ることを通知することができるという効果を奏する。
【００３５】
請求項９に記載の画像形成装置の発明によれば、例えば、ユーザＡが先にファクシミリ受信用紙を抜き取り、ユーザＢのプリンタ出力用紙を排紙トレイに戻した時に、自分が戻した用紙がプリンタ出力用紙であることを表示用紙選択入力手段に選択指示入力（タッチパネル等のスイッチ部から入力可能）することで、排紙トレイにプリンタ出力用紙が存在することを示すプリンタ出力表示をプリンタ出力表示手段に行うことができる。
【００３６】
これにより、ユーザは、排紙トレイにファクシミリ受信用紙が有るのか、それともプリンタ出力用紙が有るのかの判別が容易になるという効果を奏する。
【００３７】
請求項１０に記載の画像形成装置の発明によれば、各表示手段と各入力手段とは、一体の制御パネルに構成されて画像形成装置本体外面の操作者側に向く箇所に設けられている、例えば１つの部品（タッチパネル等）として構成することができるので、部品点数を削減するという観点からのコストダウンが可能となる。また、表示手段とスイッチ部は離れたところに設置せずに近隣に設置することができるので、表示手段に表示された内容を知得して直ぐに入力することができるようになり、ユーザの使い勝手が良くなる。また、画像形成装置本体の外面の操作者側に向く箇所に設けるので容易な操作が確実にできる。
【００３８】
さらに、表示手段および入力手段は、請求項１から９の表示手段および入力手段の他、さらに、ユーザに報知すべき情報（例えば、ファクシミリ受信用紙の枚数等）を併せて表示する他の表示手段を一体に設けることも可能である。
【００３９】
なお、本発明は、前記画像データとしてファクシミリデータを受信するファクシミリ装置、またはプリンと画像データを出力するプリンタ装置、または複写機能を有する複写機の少なくとも１つの機能を有する複合機としての画像形成装置を構成することができる。
【発明を実施するための最良の形態】
【００４０】
以下、本発明の画像形成装置の最良の実施形態について、図面を参照して詳細に説明する。
【００４１】
図１は、本発明の実施形態に係る画像形成装置の全体構成を示す構成図である。
【００４２】
同図において、本実施形態の画像形成装置は、ファクシミリ受信部の出力したファクシミリデータ（「ＦＡＸデータ」とも称する）に基づきそのファクシミリデータの内容をファクシミリ受信用紙に印刷し、その印刷したファクシミリ受信用紙を排紙部（排紙トレイ）２に排紙するものである。
【００４３】
具体的には、画像形成装置は、ファクシミリ装置（通信回線を介してファクシミリデータをやり取りする装置：図示省略）等のファクシミリ受信部１が出力するファクシミリデータのインターフェイスを行うためのファクシミリインターフェイス部１ａと、印刷済の用紙を収納するための排紙部（排紙トレイ）２と、本画像形成装置の各種の状態を表示するための各種表示部３と、プリンタ装置（図示省略）などの機能を有するプリンタ部４と画像データのインターフェイスを行うためのプリンタインターフェイス部４ａと、原稿を複写して画像データに変換する画像読取部５と、各種の処理が施された画像データの印字・印刷を行うプリントエンジン部６と、本装置全体を制御すると共に画像データ処理、プロセス処理等のデータ処理を行うメインコントロール部１０とを備えて構成される。
【００４４】
メインコントロール部１０は、処理のための演算を行う中央処理ユニット（ＣＰＵ１０ａ）と、本発明の画像形成装置の各種機能の達成する制御を行うためのプログラムを記憶したＲＯＭ（Read−Only memory）１０ｂと、処理においてデータ一時的記憶を行うＲＡＭ（Random−access memory）１０ｃとを備えており、マイクロコンピュータや、プログラムロジックアレイ等で構成することができる。
【００４５】
排紙部２は、ファクシミリ受信用紙が排紙されたものを安定的に載置できる構造を呈する排紙トレイを有しており、排紙部２にはファクシミリ受信用紙が存在する有無を検出するためのセンサである用紙検知センサ２２（後述の図２、図５及び図１１）が設けられる。
【００４６】
各種表示部３は、ファクシミリ受信用紙の有無を知らせるためのランプであるインフォメーションランプ２３（表示部：後述の図２及び図１１）等の表示手段を有している他、操作者の入力操作によってインフォメーションランプ２３を点灯させるためのスイッチであるインフォメーションランプ点灯スイッチ２４（スイッチ部：後述の図２）等の入力手段を一体または別体に設けている。各種表示部３には、表示手段および入力手段を一体にしたタッチパネル３１（後述の図５）を設けることができる。
【００４７】
以下、本実施形態の画像形成装置の構成および機能について実施態様別に説明する。
【００４８】
（実施態様１）
図２は、本発明の実施形態に係る画像形成装置の１例としての外観図、図３は、実施形態に係る画像形成装置の実施態様１の動作を示すフローチャートである。
【００４９】
図１、図２に示すように、実施態様１に係る画像形成装置は、ファクシミリ受信部の出力したファクシミリデータ（画像データ）に基づきその画像データの内容を用紙に印刷し、その印刷した用紙を排紙トレイに排紙するものである。その画像形成装置のプログラムは、上記印刷済みの用紙を排紙トレイに排紙したときに、その用紙が排紙トレイに有ることを示す排紙表示を行う排紙表示機能と、排紙トレイに排紙された印刷済みの用紙がその排紙トレイから抜き取られたときに、排紙表示を排紙表示機能から消去する表示消去機能と、操作者の入力操作によって上記排紙表示を排紙表示機能に行わせるための表示入力機能と、前記排紙表示機能の排紙表示が消去された状態で、前記表示入力機能への入力操作があった場合に、その排紙表示手段に再び排紙表示を行う再表示制御機能とを実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【００５０】
画像形成装置は、メインコントロール部１０（図１）の指令によって、ファクシミリ受信部１の出力したファクシミリデータをファクシミリインターフェイス部１を介して受信する（受け取る）と、このファクシミリ受信データの処理を行い、プリントエンジン部６により、ファクシミリデータの内容をファクシミリ受信用紙に印字・印刷し、その後、ファクシミリ受信用紙を排紙部（排紙トレイ）２に排紙する処理を行う。
【００５１】
排紙表示手段は、実施態様１では、インフォメーションランプ２３であって、その点灯によって「印刷済みの用紙が排紙トレイに有る状態を表示する」ものである。このインフォメーションランプ２３の点灯はファクシミリ受信用紙の排紙部２への排紙信号によって行う。このインフォメーションランプ２３は各種表示部３（図１）内に設置されている。また、表示消去手段は、排紙トレイに排紙された印刷済みの用紙がその排紙トレイから抜き取られたときに、排紙表示を消去するのを、実施態様１では、排紙されたファクシミリ受信用紙が用紙検知センサ２２によって用紙が無いことを検知したときにファクシミリ受信表示を消去する。この場合、インフォメーションランプ２３の消灯によって「印刷済みの用紙が排紙トレイに無い状態を表示する」ようになっている。また、印刷済みの用紙を排紙トレイから抜き取って排紙表示を消去すると共にその用紙が排紙トレイに無い状態を表示する特定の表示例えば「排紙トレイに用紙がありません」との表示を行うことができる。
【００５２】
表示入力手段は、実施態様１では、操作者が入力操作を行うことができるインフォメーションランプ点灯スイッチ２４であって、そのスイッチ２４の押圧によって「用紙が排紙トレイに有る状態を排紙表示部に表示する入力操作を操作者が行う」ものである。
【００５３】
そして、実施態様１では、画像データがファクシミリ受信部の出力するファクシミリデータであり、印刷後に排紙部２に収容される印刷済みの用紙がファクシミリ受信用紙であり、排紙表示部によってファクシミリ受信用紙が排紙部に有る状態を示すファクシミリ受信表示を行うものである。本発明では、その他、画像データとしてプリンタ装置、複写機、それ以外の画像データを扱う装置の画像データとすることができる。
【００５４】
実施態様１の画像形成装置においては、ファクシミリ受信処理を行っていたまたは受信処理中でもメインコントロール部１０は、図２に示す用紙検知センサ２２を介して排紙部２に排紙されたファクシミリ受信用紙を検知すると、排紙部にファクシミリ受信用紙があることを表示する（存在することを示唆する）ファクシミリ受信表示をインフォメーションランプ２３の点灯によって行う。このインフォメーションランプ２３の点灯によって、ユーザ（操作者）は、ファクシミリデータが受信され、ファクシミリ受信用紙が排紙された履歴を知ることができる。
【００５５】
次に、図３のフローチャートによって、実施形態に係る画像形成装置の実施態様１の動作を説明する。なお、以下の記述では各「ステップ〜」を「Ｓ〜」と略記する。各判断ステップでは判断件結果が「正」の場合を「Ｙ」と、「否」の場合を「Ｎ」と記述する。
【００５６】
ファクシミリ受信部の出力したファクシミリデータに基づきファクシミリ受信用紙を排紙部２に排紙し、ファクシミリ受信表示をインフォメーションランプの点灯によって行う（ステップ１１）。
【００５７】
用紙検知センサ２２の出力信号に基づいて、排紙部２にファクシミリ受信用紙が有るか否かを検証し（Ｓ１２）、ファクシミリ受信用紙が有ればＳ１１に戻る。また、ファクシミリ受信用紙が無ければＳ１３に進む（Ｓ１２）。
【００５８】
Ｓ１３では、インフォメーションランプ２３を消灯し、これによって、排紙部２にファクシミリ受信用紙が無い状態を表示する。
【００５９】
排紙部２に、複数のユーザ（ここでは、ユーザＡ及びユーザＢとする）宛のファクシミリ受信用紙が有った場合、ユーザＡが、ファクシミリ受信用紙の束を排紙部２から取り除くと、用紙検知センサ２２により、用紙無しが検知され、インフォメーションランプ２３を消灯する（Ｓ１３）。
【００６０】
その後、ユーザＡが、ファクシミリ受信用紙の束の中から一部のファクシミリ受信用紙（例えば、ユーザＡ宛のファクシミリ受信用紙）を抜き取り、残りのファクシミリ受信用紙（例えば、ユーザＢ宛のファクシミリ受信用紙）を排紙部（排紙トレイ）２に戻し、さらに、各種表示部３内のインフォメーションランプ点灯スイッチ２４を押す等の操作をしたか否かを判断する（Ｓ１４）。インフォメーションランプ点灯スイッチ２４を操作した場合（Ｓ１４：Ｙ）、メインコントロール部１０は、各種表示部３内のインフォメーションランプ２３を再び点灯させる（Ｓ１１）。これにより、排紙部２にファクシミリ受信用紙を有ることを表示するため、残りのファクシミリ受信用紙が放置されてしまう虞が無くなる。
【００６１】
一方、インフォメーションランプ点灯スイッチ２４を操作しない場合は（Ｓ１４：Ｎ）、メインコントロール部１０は、各種表示部３内のインフォメーションランプ２３を消灯させたままとする（Ｓ１３）。
【００６２】
（実施態様２）
実施形態に係る画像形成装置の実施態様２は、実施態様１と同様の図１、図２に示す構成を有するので異なる部分のみを説明する。また、図４は、この画像形成装置の実施態様２の動作を示すフローチャートである。
【００６３】
画像形成装置の実施態様２は、実施態様１に係る画像形成装置のプログラムに加えて、印刷済みの用紙が排紙トレイに有るか否かを検出する用紙有無検出機能と、再表示制御機能は、前記排紙表示機能の排紙表示が消去された状態で、用紙有無検出機能によって印刷済みの用紙が排紙トレイに有るとの検出結果を得ていて、かつ、前記表示入力機能への入力操作があった場合に、その排紙表示機能に再び排紙表示を行うことを実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【００６４】
用紙有無検出手段は、実施態様２では、排紙トレイ２に設けられた用紙検知センサ２２が排紙された用紙を検出する検出信号に基づき排紙トレイ２にファクシミリ受信用紙が有るか否かの状態を検出するものである。
【００６５】
表示入力手段は、実施態様２では、インフォメーションランプ点灯スイッチ２４であって、そのスイッチ２４の押圧という操作者の入力操作によって印刷済みの用紙が排紙トレイに有ることの排紙表示を排紙表示手段に行うものである。
【００６６】
排紙表示手段は、実施態様２では、インフォメーションランプ２３であって、その点灯によって印刷済みの用紙が排紙トレイに有ることを示す排紙表示を行うものである。
【００６７】
画像形成装置の実施態様２においては、メインコントロール部１０（図１）は、ファクシミリインターフェイス部１を介してファクシミリの受信データを受け取ると、このファクシミリ受信データの処理を行い、プリントエンジン部６により、印字・印刷した後、排紙トレイ２に排紙する。
【００６８】
ファクシミリ受信処理を行っていたメインコントロール部１０は、図２に示す用紙検知センサ２２を介して用紙の排出を検知すると、各種表示部３（図１）内に設置されているインフォメーションランプ２３を点灯させる。これにより、ユーザは、ファクシミリの受信を知ることができる。
【００６９】
排紙トレイ２に、複数のユーザ（ここでは、ユーザＡ及びユーザＢとする）宛のファクシミリ受信用紙が有った場合、ユーザＡが、ファクシミリ受信用紙の束を排紙トレイ２から取り除くと、用紙検知センサ２２により、用紙無しが検知され、インフォメーションランプ２３は消灯する。このインフォメーションランプ２３の消灯によって「用紙無し」を明確に表示できる。
その後、ユーザＡが、ファクシミリ受信用紙の束の中から一部のファクシミリ受信用紙（例えば、ユーザＡ宛のファクシミリ受信用紙）を抜き取り、残りのファクシミリ受信用紙を排紙トレイ２に戻し、さらに、各種表示部３内のインフォメーションランプ点灯スイッチ２４を押す等の操作をすると、メインコントロール部１０は、各種表示部３内のインフォメーションランプ２３を再び点灯させる。このインフォメーションランプ２３の点灯によって「用紙有り」を明確に表示できる。これにより、残りのファクシミリ受信用紙が放置されてしまう虞が無くなる。
さらに、その後、ユーザＢが、残りのファクシミリ受信用紙の束を排紙トレイ２から取り除くと、排紙トレイ２にはファクシミリ受信用紙が無くなり、用紙検知センサ２２は用紙無し状態を検知する。この時、ユーザＢが、各種表示部３内のインフォメーションランプ点灯スイッチ２４を押したとしても、メインコントロール部１０は、インフォメーションランプ２３を再び点灯させないようにする。
【００７０】
図４のフローチャートにしたがって、本発明の実施形態に係る画像形成装置の実施態様２の動作を説明する。
【００７１】
図４に示すフローチャートも、ファクシミリが受信され、メインコントロール部１０において、受信されたファクシミリデータの処理を行っている状態からの動作を示している（Ｓ２０）。
【００７２】
まず、メインコントロール部１０は、用紙検知センサ２２を介して排紙トレイ２への用紙（ファクシミリ受信用紙）の排出を検知すると、各種表示部３（図１）内に設置されているインフォメーションランプ２３を点灯させる（Ｓ２１）。
【００７３】
次いで、メインコントロール部１０は、用紙検知センサ２２の出力信号によって排紙トレイ２にファクシミリ受信用紙が有るか否かを検証し、ファクシミリ受信用紙が有ればＳ２１に戻る。また、ファクシミリ受信用紙が無ければＳ２３に進む（Ｓ２２）。
【００７４】
Ｓ２３では、メインコントロール部１０が、インフォメーションランプ２３を消灯する。
【００７５】
次いで、メインコントロール部１０は、各種表示部３内のインフォメーションランプ点灯スイッチ２４が押されたか否かを検証し、インフォメーションランプ点灯スイッチ２４が押される等の操作された場合はＳ２５に進む。また、インフォメーションランプ点灯スイッチ２４が押されていない場合はＳ２３に戻る。
【００７６】
Ｓ２５では、メインコントロール部１０が、用紙検知センサ２２の出力信号によって排紙トレイ２にファクシミリ受信用紙が有るか否かを検証し、ファクシミリ受信用紙が有ればＳ２１に戻り、インフォメーションランプ２３を点灯する。また、ファクシミリ受信用紙が無ければＳ２３に戻り、インフォメーションランプ２３を消灯する。
【００７７】
ここで、図５は、本発明の実施形態に係る画像形成装置の他の１例としての外観図である。
【００７８】
図５に示す画像形成装置の外観図は、図２に示すインフォメーションランプ２３とインフォメーションランプ点灯スイッチ２４の代わりに、表示機能とスイッチ入力機能とを備えたタッチパネル３１を設け、スイッチ入力の機能と表示の機能とを、この１つのデバイス（タッチパネル３１）だけで行うように構成している。
【００７９】
よって、その動作は、実施態様１及び実施態様２と同様であるが、以下の説明の実施態様３以降では、実施態様２と同様にその動作をフローチャートを用いて説明する。
【００８０】
（実施態様３）
図６は、本発明の実施形態に係る画像形成装置の実施態様３の動作を示すフローチャートである。
【００８１】
図６のフローチャートも、ファクシミリが受信され、メインコントロール部１０において、受信されたファクシミリデータの処理を行っている状態からの動作を示している。基本的な機能は、上記の実施態様２と同じであるが、「ファクシミリ受信用紙が排紙トレイに有る状態を示すファクシミリ受信表示」が、タッチパネル３１に「ファクシミリ受信用紙有り」という表示を現すこととすると共に、後述するＳ３３とＳ３６の表示を行う点で異なる。
【００８２】
実施態様３においては、まず、メインコントロール部１０は、用紙検知センサ２２を介して排紙トレイ２への用紙の排出を検知すると、タッチパネル３１（図５）に、「ファクシミリ受信用紙有り」という主旨のメッセージを表示させる（Ｓ３１）。
【００８３】
次いで、メインコントロール部１０は、排紙トレイ２にファクシミリ受信用紙が有るか否かを検証し（Ｓ３２）、ファクシミリ受信用紙が有れば、Ｓ３１に戻る。また、ファクシミリ受信用紙が無ければ、Ｓ３３に進む（Ｓ３２）。
【００８４】
Ｓ３３では、メインコントロール部１０が、タッチパネル３１に、「ファクシミリ受信用紙無し、ファクシミリ受信用紙有りの表示にするには、ここを押して下さい」という主旨のメッセージを表示させる。
【００８５】
次いで、メインコントロール部１０は、タッチパネル３１上の「ここ」という文字で指示された位置が押されたか否かを検証し（Ｓ３４）、タッチパネル３１上の指示位置が押された場合（Ｓ３４：Ｙ）はＳ３５に進む。また、タッチパネル３１上の指示位置が押されていない場合（Ｓ３４：Ｎ）はＳ３３に戻る。
【００８６】
Ｓ３５では、メインコントロール部１０が、排紙トレイ２にファクシミリ受信用紙が有るか否かを検証し、ファクシミリ受信用紙が有ればＳ３１に戻る（Ｓ３５：Ｙ）。また、ファクシミリ受信用紙が無ければＳ３６に進む（Ｓ３５：Ｎ）。
【００８７】
Ｓ３６では、メインコントロール部１０が、タッチパネル３１に、「排紙トレイに用紙が有りません」という主旨のメッセージを表示させ、その後、制御の流れを上記のＳ３３に戻す。
【００８８】
（実施態様４）
この実施態様４の画像形成装置は、ファクシミリ受信部の出力したファクシミリデータに基づきそのファクシミリデータの内容をファクシミリ受信用紙に印刷すると共に、プリンタ部の出力したプリント画像データに基づきその内容をプリンタ出力用紙に印刷し、その印刷したファクシミリ受信用紙およびプリンタ出力用紙を排紙トレイに排紙するものである。その画像形成装置のプログラムは、ファクシミリ受信用紙を排紙トレイに排紙したときに、そのファクシミリ受信用紙が排紙トレイに有ることを示すファクシミリ受信表示を行う排紙表示機能と、排紙トレイに排紙されたファクシミリ受信用紙がその排紙トレイから抜き取られたときに、ファクシミリ受信表示を排紙表示手段から消去する表示消去機能と、操作者の入力操作によって排紙トレイに有る用紙がファクシミリ受信用紙かプリンタ出力用紙かの区別を選択するための表示用紙選択入力手段と、印刷済みの用紙が排紙トレイに有るか否かを検出する用紙有無検出手段と、前記排紙表示手段のファクシミリ受信表示が消去された状態で、用紙有無検出手段によって印刷済みの用紙が排紙トレイに有るとの検出結果を得ていて、かつ、表示用紙選択入力手段によってファクシミリ受信用紙が選択された場合に、排紙表示手段に再びファクシミリ受信表示を行う再表示制御機能とを実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【００８９】
表示用紙選択入力手段は、実施態様４では、排紙トレイ２の用紙がファクシミリ受信用紙かプリンタ出力用紙かの区別をするために操作者が押すなどの操作をする選択スイッチ部であって、その選択スイッチ部がタッチパネル３１に設けられており、その選択スイッチ部への入力に基づいていずれの用紙かの区別を選択する。その他、タッチパネル以外に選択スイッチ部を設けてもよい。
排紙表示手段および表示入力手段は、実施態様４では実施態様３と同様の構成である。
【００９０】
メインコントロール部１０（図１）は、ファクシミリインターフェイス部１を介してファクシミリの受信データを受け取ると、このファクシミリ受信データの処理を行い、プリントエンジン部６により、印字・印刷した後、排紙トレイ２に排紙する。
【００９１】
この実施態様４においては、ファクシミリ受信処理を行っていたメインコントロール部１０は、用紙検知センサ２２（図５）により用紙の排出を検知すると、各種表示部３内のタッチパネル３１（図５）に、「ファクシミリ受信表示」として「ファクシミリ受信用紙有り」を主旨とするメッセージを表示させる。また、プリンタインターフェイス部４（図１）を介してプリントデータの受信を検知すると、このプリントデータを受け取って処理を行い、プリントエンジン部６により、印字・印刷した後、排紙トレイ２に排紙する。
【００９２】
この時、排紙トレイ２には、ファクシミリ受信用紙とプリンタ出力用紙とが混在することになる。
【００９３】
ユーザＡが、排紙トレイ２の用紙の束を取り除くと、メインコントロール部１０は、タッチパネル３１に、「ファクシミリ受信用紙無し、ファクシミリ受信用紙有りの表示にするには、ここを押して下さい」を主旨とするメッセージを表示させる。
【００９４】
これにより、ユーザＡが、プリンタ出力用紙だけを抜き取り、ファクシミリ受信用紙を排紙トレイ２に戻してタッチパネル３１の指示された位置を押すと、メインコントロール部１０は、タッチパネル３１に、「排紙トレイに戻したのはファクシミリ受信用紙ですか？、プリンタ出力用紙ですか？」を主旨とするメッセージを表示させる。これにより、ユーザＡが、タッチパネル３１に設けられた「ファクシミリ」表示位置を押すと、メインコントロール部１０は、タッチパネルに「ファクシミリ受信用紙有り」を主旨とするメッセージを表示させる。
【００９５】
なお、ユーザＡが、排紙トレイ２の用紙の束を取り除き、プリンタ出力用紙を抜き取った後、ファクシミリ受信用紙を排紙トレイ２に戻さない場合は、タッチパネル３１に、「排紙トレイ用紙が有りません」を主旨とするメッセージを表示させて、ファクシミリ受信用紙の排紙トレイ２への収納を促す。
【００９６】
このように構成したので、排紙トレイ２に用紙が有り、かつ、それがファクシミリ受信用紙である時にのみ、ユーザにファクシミリ受信用紙が有ることを通知することができる。
【００９７】
図７は、本発明の実施形態に係る画像形成装置の実施態様４の動作を示すフローチャートである。
【００９８】
同図のフローチャートも、ファクシミリが受信され、メインコントロール部１０において、受信されたファクシミリデータの処理を行っている状態からの動作を示している（Ｓ４０）。
【００９９】
まず、メインコントロール部１０は、用紙検知センサ２２を介して排紙トレイ２への用紙の排出を検知すると、タッチパネル３１（図５）に、「ファクシミリ受信用紙有り」という主旨のメッセージを表示させる（Ｓ４１）。
【０１００】
次いで、メインコントロール部１０は、排紙トレイ２にファクシミリ受信用紙が有るか否かを検証し（Ｓ４２）、ファクシミリ受信用紙が有れば（Ｓ４２：Ｙ）Ｓ４１に戻る。また、ファクシミリ受信用紙が無ければ（Ｓ４２：Ｎ）Ｓ４３に進む。
【０１０１】
Ｓ４３では、メインコントロール部１０が、タッチパネル３１に、「ファクシミリ受信用紙無し、ファクシミリ受信用紙有りの表示にするには、ここを押して下さい」という主旨のメッセージを表示させる。
【０１０２】
次いで、メインコントロール部１０は、タッチパネル３１上の指示位置が押されたか否かを検証し（Ｓ４４）、タッチパネル３１上の指示位置が押された場合（Ｓ４４：Ｙ）はＳ４５に進む。また、タッチパネル３１上の指示位置が押されていない場合（Ｓ４４：Ｎ）はＳ４３に戻る。
【０１０３】
Ｓ４５では、メインコントロール部１０が、用紙検知センサ２２の出力に基づき、排紙トレイ２にファクシミリ受信用紙が有るか否かを検証し、ファクシミリ受信用紙が有れば（Ｓ４５：Ｙ）Ｓ４７に移る。また、ファクシミリ受信用紙が無ければ（Ｓ４５：Ｎ）Ｓ４６に進む。
【０１０４】
Ｓ４６では、メインコントロール部１０が、タッチパネル３１に、「排紙トレイに用紙が有りません」という主旨のメッセージを表示させ、その後、制御の流れをＳ４３に戻す。
【０１０５】
Ｓ４７では、メインコントロール部１０が、タッチパネル３１に、「排紙トレイに戻したのはファクシミリ受信用紙ですか？、プリンタ出力用紙ですか？」を主旨とするメッセージを表示させる。
【０１０６】
次いで、メインコントロール部１０は、タッチパネル３１上の「ＦＡＸ（ファクシミリ）」の表示位置が押されたか否かを検証し（Ｓ４８）、タッチパネル３１上の「ＦＡＸ（ファクシミリ）」の表示位置が押された場合（Ｓ４８：Ｙ）はＳ４１に戻る。また、タッチパネル３１上の「ファクシミリ」の表示位置が押されていない場合（Ｓ４８：Ｎ）はＳ４９に進む。
【０１０７】
Ｓ４９では、メインコントロール部１０が、タッチパネル３１上の「プリント」の表示位置が押されたか否かを検証し、タッチパネル３１上の「プリント」の表示位置が押された場合（Ｓ４９：Ｙ）はＳ５０に進む。また、タッチパネル３１上の「プリント」の表示位置が押されていない場合（Ｓ４９：Ｎ）はＳ４７に戻る。
【０１０８】
Ｓ５０では、タッチパネル３１の表示を初期状態に戻し、処理を終了する。
【０１０９】
（実施態様５）
図８は、本発明の実施形態に係る画像形成装置の実施態様５の動作を示すフローチャートである。
【０１１０】
実施態様５の画像形成装置は、上記実施態様４に加えて、プリンタ出力表示部を設けており、実施態様５の画像形成装置のプログラムは、ファクシミリ受信用紙が排紙トレイから抜き取られた以後、用紙有無検出手段によって排紙トレイに用紙が有るとの検出結果を得ていて、かつ、表示用紙選択入力手段によってプリンタ出力用紙が選択された場合に、プリンタ出力用紙が排紙トレイに有る状態を示すプリンタ出力表示を表示部によって行うプリンタ出力表示制御機能をさらに実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【０１１１】
プリンタ出力表示機能は、実施態様５では、メインコントロール部１０の指令によって各種表示部３内のタッチパネル３１にプリンタ出力表示を行うものである。具体的には、このタッチパネル３１の所要表示領域に「プリンタ出力用紙有り」との表示を行うものである。
【０１１２】
メインコントロール部１０（図１）は、ファクシミリインターフェイス部１を介してファクシミリの受信データを受け取った時には、このファクシミリ受信データの処理を行い、プリントエンジン部６により、印字・印刷した後、排紙トレイ２に排紙する。ファクシミリ受信処理を行っていたメインコントロール部１０は、用紙検知センサ２２（図５）により用紙の排出を検知すると、各種表示部３内のタッチパネル３１（図５）に、「ファクシミリ受信用紙有り」を主旨とするメッセージを表示させる。
【０１１３】
また、メインコントロール部１０は、プリンタインターフェイス部４を介してプリンタ出力データを受け取った時には、このプリンタ出力データの処理を行い、プリントエンジン部６により、印字・印刷した後、排紙トレイ２に排紙する。プリンタ出力データの処理を行っていたメインコントロール部１０は、用紙検知センサ２２（図５）により用紙の排出を検知すると、各種表示部３内のタッチパネル３１（図５）に、「プリンタ出力用紙有り」を主旨とするメッセージを表示させる。
【０１１４】
なお、この実施態様では、最初から、排紙トレイ２に、ファクシミリ受信用紙と、プリンタ出力用紙とが混在することを考慮している。
【０１１５】
その後、ユーザＡが、排紙トレイ２の用紙の束を取り除くと、メインコントロール部１０は、タッチパネル３１に、「ファクシミリ受信用紙無し、ファクシミリ受信用紙有りの表示にするには、ここを押して下さい」を主旨とするメッセージを表示させる。
【０１１６】
これにより、ユーザＡが、プリンタ出力用紙だけを抜き取り、ファクシミリ受信用紙を排紙トレイ２に戻してタッチパネル３１の指示された位置を押すと、メインコントロール部１０は、タッチパネル３１に、「排紙トレイに戻したのはファクシミリ受信用紙ですか？、プリンタ出力用紙ですか？」を主旨とするメッセージを表示させる。これにより、ユーザＡが、タッチパネル３１に設けられた「ファクシミリ」表示位置を押すと、メインコントロール部１０は、タッチパネルに「ファクシミリ受信用紙有り」を主旨とするメッセージを表示させる。また、ユーザＡが、ファクシミリ受信用紙を抜き取り、プリンタ出力用紙を排紙トレイ２に戻してタッチパネル３１の指示された位置を押すと、メインコントロール部１０は、タッチパネル３１に、「排紙トレイに戻したのはファクシミリ受信用紙ですか？、プリンタ出力用紙ですか？」を主旨とするメッセージを表示させる。これにより、ユーザＡが、タッチパネル３１に設けられた「プリンタ」表示位置を押すと、メインコントロール部１０は、タッチパネル３１に「プリンタ出力用紙有り」を主旨とするメッセージを表示させる。
【０１１７】
なお、ユーザＡが、排紙トレイ２の用紙の束を取り除き、プリンタ出力用紙を抜き取った後、ファクシミリ受信用紙を排紙トレイ２に戻さない場合は、タッチパネル３１に、「排紙トレイ用紙が有りません」を主旨とするメッセージを表示させて、ファクシミリ受信用紙の排紙トレイ２への収納を促す。
【０１１８】
このように構成したので、排紙トレイ２にファクシミリ受信用紙が有るのか、それともファクシミリ受信用紙が有るのかの判別が容易となる。
【０１１９】
図８のフローチャートによって、本発明の実施形態に係る画像形成装置の実施態様５の動作を説明する。
【０１２０】
同図のフローチャートでは、メインコントロール部１０で画像データが受け取られる（Ｓ６０）。
【０１２１】
まず、メインコントロール部１０は、ファクシミリインターフェイス４からの画像データ（即ち、ファクシミリデータ）なのか、それとも画像読取部５からの画像データ（即ち、プリンタ出力データ）なのかを検証し、ファクシミリデータの場合はＳ６２に進む。また、プリンタ出力データの場合はＳ６８に移る（Ｓ６１）。
【０１２２】
Ｓ６２では、メインコントロール部１０が、用紙検知センサ２２を介して排紙トレイ２への用紙の排出を検知すると、タッチパネル３１（図５）に、「ファクシミリ受信用紙有り」という主旨のメッセージを表示させる。
【０１２３】
次いで、メインコントロール部１０は、排紙トレイ２にファクシミリ受信用紙が有るか否かを検証し、ファクシミリ受信用紙が有ればＳ６２に戻る。また、ファクシミリ受信用紙が無ければＳ６４に進む（Ｓ６３）。
【０１２４】
Ｓ６４では、メインコントロール部１０が、タッチパネル３１に、「ファクシミリ受信用紙無し、ファクシミリ受信用紙有りの表示にするには、ここを押して下さい」という主旨のメッセージを表示させる。
【０１２５】
次いで、メインコントロール部１０は、タッチパネル３１上の指示位置が押されたか否かを検証し、タッチパネル３１上の指示位置が押された場合はＳ６６に進む。また、タッチパネル３１上の指示位置が押されていない場合はＳ６４に戻る（Ｓ６５）。
【０１２６】
Ｓ６６では、メインコントロール部１０が、排紙トレイ２にファクシミリ受信用紙が有るか否かを検証し、ファクシミリ受信用紙が有ればＳ７０に移る。また、ファクシミリ受信用紙が無ければＳ６７に進む。
【０１２７】
Ｓ６７では、メインコントロール部１０が、タッチパネル３１に、「排紙トレイに用紙が有りません」という主旨のメッセージを表示させ、その後、制御の流れをＳ６４に戻す。
【０１２８】
Ｓ６８では、メインコントロール部１０が、タッチパネル３１に、「プリンタ出力用紙有り」を主旨とするメッセージを表示させる。
【０１２９】
次いで、メインコントロール部１０は、排紙トレイ２にファクシミリ受信用紙が有るか否かを検証し、ファクシミリ受信用紙が有ればＳ６８に戻る。また、ファクシミリ受信用紙が無ければＳ６４に移る（Ｓ６９）。
【０１３０】
Ｓ７０では、メインコントロール部１０が、タッチパネル３１に、「排紙トレイに戻したのはＦＡＸ（ファクシミリ）受信用紙ですか？、プリンタ出力用紙ですか？」を主旨とするメッセージを表示させる。
【０１３１】
次いで、メインコントロール部１０は、タッチパネル３１上の「プリント」の表示位置が押されたか否かを検証し、タッチパネル３１上の「プリント」の表示位置が押された場合はＳ６８に戻る。また、タッチパネル３１上の「プリント」の表示位置が押されていない場合はＳ７２に進む（Ｓ７１）。
【０１３２】
Ｓ７２では、メインコントロール部１０が、タッチパネル３１上の「ファクシミリ」の表示位置が押されたか否かを検証し、タッチパネル３１上の「ファクシミリ」の表示位置が押された場合はＳ６８に戻る。また、タッチパネル３１上の「ファクシミリ」の表示位置が押されていない場合はＳ７０に戻る。
【０１３３】
（実施態様６）
図９は、本発明の実施形態に係る画像形成装置の実施態様６の動作を示すフローチャートである。
【０１３４】
この実施態様６に画像形成装置のプログラムは、実施態様２、３の画像形成装置のプログラムに加えて、さらに、前記排紙表示機能の排紙表示が消去された状態で用紙有無検出機能によって印刷済みの用紙が排紙トレイに有るとの検出結果を得ると、その検出結果を得てから以降の時間である経過時間を計測する時間計測機能を設けており、再表示制御機能は、前記経過時間が所定時間になる以前に前記表示入力機能への入力操作があった場合に、その排紙表示機能に再び排紙表示を行うことを実現することを内容とする。
具体的には、その画像形成装置のプログラムは、ファクシミリ受信用紙が排紙トレイに有る状態を示すファクシミリ受信表示を行うための排紙表示機能と、排紙表示機能にファクシミリ受信表示を行う入力操作を操作者が行うためのファクシミリ表示入力機能と、排紙トレイにファクシミリ受信用紙が有るか否かの状態を検出する用紙有無検出機能と、用紙有無検出機能によって排紙トレイにファクシミリ受信用紙が有る状態を検出した時間を計測する時間計測機能と、印刷済みのファクシミリ受信用紙が排紙トレイに排紙された場合に、ファクシミリ受信表示を排紙表示部に行う表示制御機能と、ファクシミリ受信用紙がその排紙トレイから抜き取られた場合に、排紙表示部のファクシミリ受信表示を消去する表示消去機能と、ファクシミリ受信表示が消去された状態で、時間計測部によって計測した排紙トレイにファクシミリ受信用紙が有る状態を検出した時間が所定時間になる以前に前記表示入力機能への入力操作があった場合に、ファクシミリ受信表示を排紙表示機能に再び行う再表示制御機能とを実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【０１３５】
時間計測手段は、実施態様６では、メインコントロール部１０の周期的な基準クロックをカウントすることによって時間を計るタイマー機能を用いるものであり、用紙検知センサ２２がファクシミリ用紙を検知したとの信号が出力されると、そのファクシミリ用紙検知信号を得てから以降の時間である経過時間を計っているものである。具体的には、用紙検知センサ２２のファクシミリ検知信号の出力されている時間を計っているものである。
この時間計測手段によって計測した経過時間が所定時間になるか否かは、上記の基準クロックをカウントした値が設定数になることよって所定時間が経過したことを判断するものである。
排紙表示手段、表示入力手段、および用紙有無検出手段は、実施態様６では上記実施態様３、４と同様である。
【０１３６】
メインコントロール部１０（図１）は、ファクシミリインターフェイス部１を介してファクシミリの受信データを受け取ると、このファクシミリ受信データの処理を行い、プリントエンジン部６により、印字・印刷した後、排紙トレイ２に排紙する。
【０１３７】
ファクシミリ受信処理を行っていたメインコントロール部１０は、用紙検知センサ２２（図５）により用紙の排出を検知すると、各種表示部３内のタッチパネル３１（図５）に、「ファクシミリ受信用紙有り」を主旨とするメッセージを表示させる。
【０１３８】
ユーザＡが、排紙トレイ２の用紙の束を取り除くと、メインコントロール部１０は、タッチパネル３１に、「ファクシミリ受信用紙無し」を主旨とするメッセージを表示させる。
【０１３９】
これにより、ユーザＡが、ファクシミリ受信用紙だけを取り除き、残りの用紙の束（従って、ファクシミリ受信用紙ではない）を排紙トレイ２に戻すと、メインコントロール部１０は、タッチパネル３１に、「ファクシミリ受信用紙有りの表示にするには、ここを押して下さい」を主旨とするメッセージを表示させる。
【０１４０】
その後、ユーザＡが、ファクシミリ受信用紙だけを抜き取った状態で排紙トレイ２を放置し、タッチパネル３１の指示された位置が押されないままに、任意に設定可能な所定時間が経過すると、この経過時間を計測していたメインコントロール部１０は、タッチパネル３１に、「ファクシミリ受信用紙無し」を主旨とするメッセージを表示させる。
【０１４１】
このように構成したので、タッチパネル３１に表示された「ファクシミリ受信用紙有りの表示にするには、ここを押して下さい」を主旨とするメッセージは、ユーザ（即ち、ファクシミリ受信用紙だけを抜き取って残りを排紙トレイ２に戻したユーザ）が、当然ながら前記メッセージの指示通りにしないままに所定時間が経過すると、タッチパネル３１の表示を「ファクシミリ受信用紙無し」を主旨とするメッセージに転じることができる。よって、「ファクシミリ受信用紙有りの表示にするには、ここを押して下さい」のメッセージが表示され続けた場合に、ファクシミリ受信用紙が実際に排紙トレイ２に無いにもかかわらず、他のユーザが、誤って、タッチパネル３１の指示された位置を押すことにより、タッチパネル３１の表示が「ファクシミリ受信用紙有り」のメッセージ切り替えられてしまう虞は防止することができる。
【０１４２】
図９のフローチャートによって、本発明の実施形態に係る画像形成装置の実施態様６の動作を説明する。
【０１４３】
同図のフローチャートも、ファクシミリが受信され、メインコントロール部１０において、受信されたファクシミリデータの処理を行っている状態からの動作を示している（Ｓ８０）。
【０１４４】
まず、メインコントロール部１０は、用紙検知センサ２２を介して排紙トレイ２への用紙の排出を検知すると、タッチパネル３１（図５）に、「ファクシミリ受信用紙有り」という主旨のメッセージを表示させる（Ｓ８１）。
【０１４５】
次いで、メインコントロール部１０は、排紙トレイ２にファクシミリ受信用紙が有るか否かを検証し、ファクシミリ受信用紙が有ればＳ８１に戻る。また、ファクシミリ受信用紙が無ければＳ８３に進む（Ｓ８２）。
【０１４６】
Ｓ８３では、メインコントロール部１０が、タッチパネル３１に、「ファクシミリ受信用紙無し」という主旨のメッセージを表示させる。
【０１４７】
次いで、メインコントロール部１０は、排紙トレイ２に用紙が戻されたか否かを検証し、排紙トレイ２に用紙が戻された場合はＳ８５に進む。また、排紙トレイ２に用紙が戻されていない場合はＳ８３に戻る（Ｓ８４）。
【０１４８】
Ｓ８５では、タイマーのカウントを開始し、Ｓ８６に進む。
Ｓ８６では、メインコントロール部１０が、タッチパネル３１に、「ファクシミリ受信用紙有りの表示にするには、ここを押して下さい」という主旨のメッセージを表示させる。
【０１４９】
次いで、メインコントロール部１０は、タッチパネル３１上の指定位置が押されたか否かを検証し、指定位置が押された場合はＳ８１に移る。また、指定位置が押されていない場合はＳ８８に進む（Ｓ８７）。
【０１５０】
Ｓ８８では、メインコントロール部１０が、タイマーのカウントをアップする。
次いで、メインコントロール部１０は、タイマーのカウント値が所定時間に対応する所定値に達したか否かを検証し、タイマーのカウント値が前記所定値に達した場合はＳ８３に戻る。また、タイマーのカウント値が前記所定値に達していない場合はＳ８６に戻る（Ｓ８９）。
【０１５１】
（実施態様７）
図１０は、本発明の実施形態に係る画像形成装置の実施態様７の動作を示すフローチャートである。
【０１５２】
この実施態様７に係る画像形成装置は、ファクシミリ受信部の出力したファクシミリデータに基づきそのファクシミリデータの内容をファクシミリ受信用紙に印刷し、その印刷したファクシミリ受信用紙を排紙トレイに排紙するものである。その画像形成装置のプログラムは、その印刷済みのファクシミリ受信用紙を排紙トレイに排紙したときに、その用紙が排紙トレイに有ることを示す排紙表示（ファクシミリ受信表示）を行なう排紙表示機能と、排紙トレイに排紙された印刷済みの用紙がその排紙トレイから抜き取られたときに、排紙表示を排紙表示機能から消去する表示消去機能と、前記排紙表示機能の排紙表示が消去された状態で、操作者の入力操作によって上記排紙表示を排紙表示機能に行わせるか否かに係る操作者に対する質問内容を表示する質問表示機能と、操作者の入力操作によって上記排紙表示を排紙表示手段に行わせるか否かを選択するための表示選択入力機能と、印刷済みの用紙が排紙トレイに有るか否かを検出する用紙有無検出機能と、前記排紙表示手段の排紙表示が消去された状態で、用紙有無検出手段によって印刷済みの用紙が排紙トレイに有るとの検出結果を得ていて、かつ、前記表示選択入力機能への入力操作によって排紙表示を排紙表示機能が行うことが選択された場合に、その排紙表示機能に再び排紙表示を行う再表示制御機能とを実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【０１５３】
質問表示手段は、実施態様７では、タッチパネル３１の所要の表示領域に、「ファクシミリ受信用紙有りの表示にしますか？  ＹＥＳ／ＮＯ」という主旨のメッセージを表示させるものである。
【０１５４】
表示選択入力手段は、実施態様７では、上記タッチパネル３１の所要の表示領域に表示された「ファクシミリ受信用紙有りの表示にしますか？  ＹＥＳ／ＮＯ」のメッセージの「ＹＥＳ／ＮＯ」の箇所が「ファクシミリ受信表示を排紙表示部に行うか／否か」に対応するスイッチ部分であり、操作者はそのいずれかのスイッチ部分を押圧操作することによって上記の選択を入力できるようにすることを内容としている。
排紙表示手段と用紙有無検出手段は、実施態様７では、上記実施態様２、３と同様の構成を有する。
【０１５５】
メインコントロール部１０（図１）は、ファクシミリインターフェイス部１を介してファクシミリの受信データを受け取ると、このファクシミリ受信データの処理を行い、プリントエンジン部６により、印字・印刷した後、排紙トレイ２に排紙する。
【０１５６】
ファクシミリ受信処理を行っていたメインコントロール部１０は、用紙検知センサ２２（図５）により用紙の排出を検知すると、各種表示部３内のタッチパネル３１（図５）に、「ファクシミリ受信用紙有り」を主旨とするメッセージを表示させる。また、プリンタインターフェイス部４（図１）を介してプリントデータの受信を検知すると、このプリントデータを受け取って処理を行い、プリントエンジン部６により、印字・印刷した後、排紙トレイ２に排紙する。さらに画像読取部５からの複写データを検知すると、この複写データを受け取って処理を行い、プリントエンジン部６により、印字・印刷した後、排紙トレイ２に排紙する。
【０１５７】
この時、排紙トレイ２には、ファクシミリ受信用紙、プリンタ出力用紙、及び複写機出力用紙が混在することになる。
【０１５８】
ユーザＡが、排紙トレイ２の用紙の束を取り除くと、メインコントロール部１０は、タッチパネル３１に「ファクシミリ受信用紙無し」と表示させる。
【０１５９】
これにより、ユーザＡが、ファクシミリ受信用紙だけを抜き取り、残りの用紙を排紙トレイに戻すと、メインコントロール部１０は、タッチパネル３１に、「ファクシミリ受信用紙有りの表示にしますか？  ＹＥＳ／ＮＯ」という主旨のメッセージを表示させる。その後、ユーザＡが、タッチパネル３１上の「ＮＯ」を押すと、メインコントロール部１０は、タッチパネル３１に、「ファクシミリ受信用紙無し」という主旨のメッセージを表示させる。
【０１６０】
一方、ユーザＡが、プリンタ出力用紙または複写機出力用紙を抜き取り、残りのファクシミリ受信用紙だけを排紙トレイ２に戻すと、メインコントロール部１０は、タッチパネル３１に、やはり「ファクシミリ受信用紙有りの表示にしますか？  ＹＥＳ／ＮＯ」という主旨のメッセージを表示させる。その後、ユーザＡが、タッチパネル３１上の「ＹＥＳ」を押すと、メインコントロール部１０は、タッチパネル３１に、「ファクシミリ受信用紙有り」という主旨のメッセージを表示させる。
【０１６１】
このように構成したので、排紙トレイ２に、ファクシミリ受信用紙、プリンタ出力用紙、及び複写機出力用紙が混在する場合にも、ファクシミリ受信用紙の有無を確実に判別することができる。
【０１６２】
図１０のフローチャートによって、本発明の実施形態に係る画像形成装置の実施態様７の動作を説明する。
【０１６３】
同図のフローチャートは、ファクシミリが受信され、メインコントロール部１０において、受信されたファクシミリデータの処理を行い、さらにプリンタ出力データ及び複写機出力データを受け取って処理している状態からの動作を示している（Ｓ９０）。
【０１６４】
まず、メインコントロール部１０は、用紙検知センサ２２を介して排紙トレイ２への用紙の排出を検知すると、タッチパネル３１（図５）に、「ファクシミリ受信用紙有り」という主旨のメッセージを表示させる（Ｓ９１）。
【０１６５】
次いで、メインコントロール部１０は、排紙トレイ２にファクシミリ受信用紙が有るか否かを検証し、ファクシミリ受信用紙が有ればＳ９１に戻る。また、ファクシミリ受信用紙が無ければＳ９３に進む（Ｓ９２）。
【０１６６】
Ｓ９３では、メインコントロール部１０が、タッチパネル３１に、「ファクシミリ受信用紙無し」という主旨のメッセージを表示させる。
【０１６７】
次いで、メインコントロール部１０は、排紙トレイ２に用紙が戻されたか否かを検証し、排紙トレイ２に用紙が戻された場合はＳ９５に進む。また、排紙トレイ２に用紙が戻されていない場合はＳ９３に戻る（Ｓ９４）。
【０１６８】
Ｓ９５では、メインコントロール部１０が、タッチパネル３１に、「ファクシミリ受信用紙有りの表示にしますか？  ＹＥＳ／ＮＯ」という主旨のメッセージを表示させる。
【０１６９】
次いで、メインコントロール部１０は、タッチパネル３１上の指定位置「ＹＥＳ」が押されたか否かを検証し、「ＹＥＳ」が押された場合はＳ９１に戻る。また、「ＹＥＳ」が押されていない場合はＳ９７に進む（Ｓ９６）。
【０１７０】
Ｓ９７では、メインコントロール部１０が、タッチパネル３１上の指定位置「ＮＯ」が押されたか否かを検証し、「ＮＯ」が押された場合はＳ９３に戻る。また、「ＮＯ」が押されていない場合はＳ９５に戻る。
【０１７１】
なお、Ｓ９６とＳ９７とは、入れ換えることができる。
【０１７２】
（実施態様８）
図１１は、本発明の実施形態に係る画像形成装置の他の１例としての外観図であって、以下の実施態様８、９でこの構成とする。図１２は、本発明の実施形態に係る画像形成装置の実施態様８の動作を示すフローチャートである。実施態様１〜３と同様部分は同様の符号を付している。
【０１７３】
実施態様８に係る画像形成装置は、ファクシミリ受信部の出力したファクシミリデータに基づきそのファクシミリデータの内容をファクシミリ受信用紙に印刷し、その印刷したファクシミリ受信用紙を排紙トレイに排紙するものである。この画像形成装置のプログラムは、そのファクシミリ受信用紙を排紙トレイに排紙したときに、その用紙が排紙トレイに有ることを示す排紙表示を行う排紙表示機能と、排紙トレイに排紙された印刷済みの用紙がその排紙トレイから抜き取られたときに、排紙表示を排紙表示機能から消去する表示消去機能と、排紙トレイとは別に設けられた、その排紙トレイから抜き取った印刷済みの用紙を保管するための専用保管トレイと、専用保管トレイに印刷済みの用紙が有るか否かを検出する用紙有無検出機能と、前記排紙表示機能の排紙表示が消去された状態で、用紙有無検出機能によってその印刷済みの用紙が専用保管トレイに有るとの検出結果を得た場合に、その排紙表示機能によって再び排紙表示を行う再表示制御機能とを実現することを内容としたものである。上記プログラムはＲＯＭ１０ｂに記憶されており、メインコントロール部１０がＲＡＭ１０ｃ等を用いてそのプログラムにしたがった各機能を実現する具体的な制御を行う。
【０１７４】
専用保管トレイは、実施態様８では、図１１の実施形態に係る画像形成装置の他の１例としての外観図に示すように、排紙トレイ（排紙トレイ）の下側に形成されたファクシミリ受信用紙専用トレイ４２としている。
【０１７５】
用紙有無検出手段は、実施態様８では、ファクシミリ受信用紙専用トレイ４２に設けられたファクシミリ受信用紙を検出するファクシミリ受信用紙検知センサ４１の検出信号に基き、メインコントロール部１０が用紙の有無を検出する。
【０１７６】
メインコントロール部１０（図１）は、ファクシミリインターフェイス部１を介してファクシミリの受信データを受け取った時には、このファクシミリ受信データの処理を行い、プリントエンジン部６により、印字・印刷した後、排紙トレイ２に排紙する。ファクシミリ受信処理を行っていたメインコントロール部１０は、用紙検知センサ２２（図１１）により用紙の排出を検知すると、各種表示部３内のインフォメーションランプ２３（図１１）を点灯させて、ユーザにファクシミリの着信を知らせる。
【０１７７】
排紙トレイ２に複数のユーザ宛のファクシミリ受信用紙が有る場合、或るユーザ（以下、ユーザＡとする）が、ファクシミリ受信用紙の束を排紙トレイ２から取り除くと、用紙検知センサ２２により、「用紙無し」の状態が検知され、メインコントロール部１０は、インフォメーションランプ２３を消灯する。
【０１７８】
ユーザＡが、ファクシミリ受信用紙の束の中から、一部のファクシミリ受信用紙（例えば、ユーザＡ宛のファクシミリ受信用紙）を抜き取り、残りのファクシミリ受信用紙をファクシミリ受信用紙専用トレイ４２（図１１）に戻すと、ファクシミリ受信用紙検知センサ４１により、「ファクシミリ受信用紙有り」の状態が検知され、メインコントロール部１０は、インフォメーションランプ２３を再び点灯する。
【０１７９】
このように構成したので、ファクシミリ受信をユーザに知らせる表示装置を動作させるための専用の機構（例えば、図２に示すインフォメーションランプ点灯スイッチ２４等のタクトスイッチ）を設けることや、ユーザがその操作を行うことを不要にすることができる。
【０１８０】
図１２に示すフローチャートによって、本発明の実施形態に係る画像形成装置の実施態様８の動作を説明する。
【０１８１】
同図のフローチャートは、ファクシミリが受信され、メインコントロール部１０において、受信されたファクシミリデータの処理を行っている状態からの動作を示している（Ｓ１００）。
【０１８２】
まず、メインコントロール部１０は、用紙検知センサ２２を介して排紙トレイ２への用紙の排出を検知すると、各種表示部３（図２、３参照）内に設置されているインフォメーションランプ２３を点灯させる（Ｓ１０１）。
【０１８３】
次いで、メインコントロール部１０は、排紙トレイ２にファクシミリ受信用紙が有るか否かを検証し、ファクシミリ受信用紙が有ればＳ１０１に戻る。また、ファクシミリ受信用紙が無ければＳ１０３に進む（Ｓ１０２）。
【０１８４】
Ｓ１０３では、メインコントロール部１０が、インフォメーションランプ２３を消灯する。
【０１８５】
次いで、メインコントロール部１０は、ファクシミリ受信用紙検知センサ４１からの報知の有無、即ち、ファクシミリ受信用紙専用トレイ（図１１）にファクシミリ受信用紙が存在するか否かを検証し、ファクシミリ受信用紙専用トレイにファクシミリ受信用紙が存在する場合はＳ１０１に戻る。また、ファクシミリ受信用紙専用トレイにファクシミリ受信用紙が存在しない場合はＳ１０３に戻る（Ｓ１０４）。
【０１８６】
なお、本発明に係る画像形成装置の各構成要素の処理の少なくとも一部をコンピュータ制御により実行するものとし、かつ、上記処理を、図３，４、図６〜１０、及び図１２のフローチャートで示した手順によりコンピュータに実行するプログラムは、半導体メモリを始め、ＣＤ−ＲＯＭのほか磁気テープなどのコンピュータ読み取り可能な記録媒体に格納して配布してもよい。そして、少なくともマイクロコンピュータ、パーソナルコンピュータ、汎用コンピュータを範疇に含むコンピュータが、上記の記録媒体から上記プログラムを読み出して、実行するものとしてもよい。
【図面の簡単な説明】
【０１８７】
【図１】本発明の実施形態に係る画像形成装置の全体構成を示す構成図である。
【図２】本発明の実施形態に係る画像形成装置の１例としての外観図である。
【図３】本発明の実施形態に係る画像形成装置の実施態様１の動作を示すフローチャートである。
【図４】本発明の実施形態に係る画像形成装置の実施態様２の動作を示すフローチャートである。
【図５】本発明の実施形態に係る画像形成装置の他の１例としての外観図である。
【図６】本発明の実施形態に係る画像形成装置の実施態様３の動作を示すフローチャートである。
【図７】本発明の実施形態に係る画像形成装置の実施態様４の動作を示すフローチャートである。
【図８】本発明の実施形態に係る画像形成装置の実施態様５の動作を示すフローチャートである。
【図９】本発明の実施形態に係る画像形成装置の実施態様６の動作を示すフローチャートである。
【図１０】本発明の実施形態に係る画像形成装置の実施態様７の動作を示すフローチャートである。
【図１１】本発明の実施形態に係る画像形成装置の他の１例としての外観図である。
【図１２】本発明の実施形態に係る画像形成装置の実施態様８の動作を示すフローチャートである。
【符号の説明】
【０１８８】
１  ファクシミリ受信部
１ａ  ファクシミリインターフェイス部
２  排紙トレイ（排紙トレイ）
３  表示部
４  プリンタ部
４ａ  プリンタインターフェイス部
５  画像読取部
６  プリントエンジン部
１０  メインコントロール部
１０ａ  ＣＰＵ
１０ｂ  ＲＯＭ
１０ｃ  ＲＡＭ
２２  用紙検知センサ
２３  インフォメーションランプ
２４  インフォメーションランプ点灯スイッチ
３１  タッチパネル
４１  ファクシミリ受信用紙検知センサ
４２  ファクシミリ受信用紙専用トレイ
【図１】
2006180397.tif 000003
【図２】
2006180397.tif 000004
【図３】
2006180397.tif 000005
【図４】
2006180397.tif 000006
【図５】
2006180397.tif 000007
【図６】
2006180397.tif 000008
【図７】
2006180397.tif 000009
【図８】
2006180397.tif 000010
【図９】
2006180397.tif 000011
【図１０】
2006180397.tif 000012
【図１１】
2006180397.tif 000013
【図１２】
2006180397.tif 000014